(57)【要約】【課題】高速連写画像及び合成連写画像を含む画像を表示部に表示する際、フリック操作によって所望の画像を迅速に表示する画像表示制御装置を提供することを目的とする。【解決手段】画像表示制御装置であって、連続撮影された連写画像及び合成連写画像の少なくともいずれかを含む画像データを記憶する記憶部と、上記記憶部に記憶された画像データの画像を同時に複数表示する表示部と、上記連写画像及び合成連写画像の画像データに連写画像であることを示すグループ属性を設定する設定部と、フリック操作によって上記表示部に表示される複数の画像の中で、先頭の画像の画像データに前記グループ属性の設定が行われている場合、上記先頭の画像を含む複数の画像を表示させることなくスクロールし、次の複数の画像を上記表示部に表示する表示制御部と、を有することを特徴とする。【選択図】  図１
2014021291.tif 000002
【特許請求の範囲】
【請求項１】
連続撮影された連写画像及び合成連写画像の少なくともいずれかを含む複数の画像データを記憶する記憶部と、
前記記憶部に記憶された複数の画像データの画像を所定数同時に表示する表示部と、
前記連写画像及び合成連写画像の画像データに同じ撮影操作により撮影された連写画像であることを示すグループ属性を設定する設定部と、
前記表示部に表示される前記所定数の画像の表示をスクロールさせて他の前記所定数の画像の表示に切り替える表示切替操作部と、
前記表示切替操作に応じて前記表示部に表示されようとする前記所定数の画像データに、前記表示切替操作が行われる前に前記表示部に表示されていた画像のいずれかに設定された前記グループ属性と同じグループ属性が設定されている場合、前記同じグループ属性が設定されている画像を表示させることなくスクロールし、前記グループ属性が設定されていない前記所定数の画像を前記表示部に表示する表示制御部と、
を有することを特徴とする画像表示制御装置。
【請求項２】
前記記憶部には前記連写画像及び合成連写画像に含まれない画像の画像データも記憶され、該画像データには前に撮影した画像との撮影日時間隔に基づく撮影日時間隔属性が設定され、前記表示切替操作によって前記表示部に表示されようとする前記所定数の画像の画像データの前に前記撮影日時間隔属性が設定された画像データがある場合、前記撮影日時間隔属性が設定された画像まで遡り、該撮影日時間隔属性が設定された画像を表示開始画像として前記所定数の画像を前記表示部に表示することを特徴とする請求項１に記載の画像表示制御装置。
【請求項３】
前記撮影日時間隔属性は日付跨ぎであり、前記表示切替操作によって前記表示部に表示される前記所定数の画像の画像データの前に前記日付跨ぎの撮影日時間隔属性が設定された画像データがある場合、前記日付跨ぎの撮影日時間隔属性が設定された画像まで遡り、該撮影日時間隔属性が設定された画像を表示開始画像として前記所定数の画像を前記表示部に表示することを特徴とする請求項２に記載の画像表示制御装置。
【請求項４】
前記撮影日時間隔属性は年跨ぎであり、前記表示切替操作によって前記表示部に表示される前記所定数の画像の画像データの前に前記年跨ぎの撮影日時間隔属性が設定された画像データがある場合、前記年跨ぎの撮影日時間隔属性が設定された画像まで遡り、該撮影日時間隔属性が設定された画像を表示開始画像として前記所定数の画像を前記表示部に表示することを特徴とする請求項２に記載の画像表示制御装置。
【請求項５】
前記表示切替操作後に前記表示部に表示される複数の画像の中から印刷を行う画像を選択することを特徴とする請求項１、２、３、又は４に記載の画像表示制御装置。
【請求項６】
連続撮影された連写画像及び合成連写画像の少なくともいずれかを含む複数の画像データを記憶部に記憶する処理と、
前記記憶部に記憶された複数の画像データの画像を表示部に所定数同時に表示する処理と、
前記連写画像及び合成連写画像の画像データに同じ撮影操作により撮影された連写画像であることを示すグループ属性を設定する処理と、
前記表示部に表示される前記所定数の画像の表示をスクロールさせて他の前記所定数の画像の表示に切り替える表示切替操作処理と、
前記表示切替操作に応じて前記表示部に表示されようとする前記所定数の画像データに、前記表示切替操作が行われる前に前記表示部に表示されていた画像のいずれかに設定された前記グループ属性と同じグループ属性が設定されている場合、前記同じグループ属性が接地されている画像を表示させることなくスクロールし、前記グループ属性が設定されていない前記所定数の画像を前記表示部に表示する処理と、
を行うことを特徴とする画像表示制御方法。
【請求項７】
前記表示切替操作は、前記表示部のタッチパネル表示画面を短時間接触するフリック操作であることを特徴とする請求項１乃至５記載の画像表示制御装置。
【発明の詳細な説明】
【技術分野】
【０００１】
本発明はデジタルカメラ等の撮像装置によって撮影した画像データの表示切り替えを円滑に行なう画像表示制御装置に関する。
【背景技術】
【０００２】
今日、デジタルカメラ等により記録された画像データを家庭で手軽に写真印刷できる家庭用フォトプリンタが広く使用されている。このようなフォトプリンタではデジタルカメラで撮影した画像データを記録したメモリカード等の可搬型記憶媒体から画像ファイルを読み込む。そして、フォトプリンタの表示装置にプリント指定情報の入力画面を表示し、表示された画面からプリントスタイルや印刷枚数等の指定を行い、指定された情報に基づいて印刷出力を行う。
【０００３】
このようなフォトプリンタにおいて、今日使用される可搬型記憶媒体の容量は大きく、大量の写真の画像データを記憶することができる。このため、印刷を行う写真画像の選択は、例えば複数の写真画像をサムネイル表示し、スクロール操作を繰り返して目的の写真画像の選択を行っている。
【０００４】
特許文献１は画像データを再生する際、予め飛び数を設定し、再生が要求されている画像の他に、上記飛び数だけ前の画像と、飛び数だけ後の画像のサムネイルを重畳して表示し、次のスクロール操作によって表示される前後の画像を予め確認できる発明を開示する。
【先行技術文献】
【特許文献】
【０００５】
【特許文献１】特開２００５−２９５２６１号公報
【発明の概要】
【発明が解決しようとする課題】
【０００６】
しかしながら、可搬型記憶媒体に記憶された画像データの中には通常の写真画像データの他にも高速連続写真やダイナミックフォト（登録商標）機能（以下、ＤＦと略す）による合成連続写真等の画像データも含まれ、目的の画像データの表示を行うまでに多数の画像データが記憶されている場合、複数の表示画面を所定の飛び数（スキップ数）によるスクロールでは回数が多大になり煩雑な操作が必要になる。
尚、ダイナミックフォト（ＤＦ）機能とは、所定の被写体が含まれている連写画像のデータから被写体を切り出して、当該被写体を別の画像の上で合成し、連写画像を順次表示することで疑似動画再生する技術として知られているが、以下の説明では合成連写画像と呼ぶ。
【０００７】
そこで、本発明は高速連写画像及び合成連写画像を含む画像を表示部に表示する際、フリック操作によって所望の画像を迅速に表示する画像表示制御装置を提供することを目的とする。
【課題を解決するための手段】
【０００８】
上記課題は本発明によれば、連続撮影された連写画像及び合成連写画像の少なくともいずれかを含む複数の画像データを記憶する記憶部と、前記記憶部に記憶された複数の画像データの画像を所定数同時に表示する表示部と、前記連写画像及び合成連写画像の画像データに同じ撮影操作により撮影された連写画像であることを示すグループ属性を設定する設定部と、前記表示部に表示される前記所定数の画像の表示をスクロールさせて他の前記所定数の画像の表示に切り替える表示切替操作部と、前記表示切替操作に応じて前記表示部に表示されようとする前記所定数の画像データに、前記表示切替操作が行われる前に前記表示部に表示されていた画像のいずれかに設定された前記グループ属性と同じグループ属性が設定されている場合、前記同じグループ属性が設定されている画像を表示させることなくスクロールし、前記グループ属性が設定されていない前記所定数の画像を前記表示部に表示する表示制御部と、を有する画像表示制御装置を提供することによって達成できる。
【発明の効果】
【０００９】
本発明によれば、高速連写画像や合成連写画像を含む画像を表示し、印刷等の目的で所望の画像を選択する際、少ない回数のフリック操作で所望の画像を迅速に表示することができる。
【図面の簡単な説明】
【００１０】
【図１】本実施形態の画像表示制御装置の回路ブロック図である。
【図２】ＲＡＭのメモリ構成を示す図である。
【図３】本実施形態の基本となる処理を説明するフローチャートである。
【図４】ファイル名リストの作成処理を説明するフローチャートである。
【図５】（ａ）は、ＲＡＭの記憶エリアに記憶されるJPEG画像ファイルの概念図であり、（ｂ）は、ファイル名リストの一部を示す図である。
【図６】画像選択処理を説明するフローチャートである。
【図７】合成連写や高速連写の場合の代表画像を選択する処理を説明するフローチャートである。
【図８】サムネイル画像の表示例を示す図である。
【図９】（ａ）は、JPEG画像ファイルから読み出した、２５２枚の画像データのグループ属性の一覧を示す図であり、（ｂ）は、JPEG画像ファイルから読み出した、２５２枚の画像データの撮影日時間隔属性の一覧を示す図である。
【図１０】（ａ）は、撮影日時間隔属性を示すフラグの設定規則を説明する図であり、（ｂ）は、（ａ）のフラグの設定規則に加えて、グループ属性の情報を加えたフラグの設定規則を説明する図である。
【図１１】撮影日時間隔属性とグループ属性を組み合わせたフラグ情報の一覧を示す図である。
【図１２】フリック操作に基づくサムネイル画像のスクロール処理を説明するフローチャートである。
【図１３】絵画変換の開始位置と終了位置を設定する処理を説明するフローチャートである。
【発明を実施するための形態】
【００１１】
以下、本発明の実施の形態を図面に基づいて説明する。
図１は、本実施形態の画像表示制御装置の回路ブロック図である。同図において、本例の画像表示制御装置１は、ＣＰＵ２、ＲＯＭ３、ＲＡＭ４、キー・ペン入力部５、カードデータ読込部６、カラー表示部７、及びプリンタ部８で構成されている。ＣＰＵ２はＲＯＭ３に記憶されたプログラムを読み出し、本例の画像表示制御装置１の制御を行う。また、ＲＡＭ４には後述するバッファやメモリ領域が設定され、ワークエリアとしてＣＰＵ２の制御に使用される。
【００１２】
キー・ペン入力部５は、例えばキーボード及びペン入力で構成され、キー操作又はペン入力の操作信号をＣＰＵ２に送信し、ＣＰＵ２は上記プログラムに従って、上記操作信号が指示する処理を行う。
【００１３】
また、カードデータ読込部６はメモリカード等の可搬型記憶媒体に記憶された画像データの読み込み処理を行い、例えばデジタルカメラによって撮影した写真の画像データを大量に記憶する可搬型記憶媒体から写真画像データを本例の画像表示制御装置１に読み込む。
【００１４】
カラー表示部７は可搬型記憶媒体から読み込んだ写真画像データを表示し、例えば印刷対象の画像データの選択を行う際、所定枚の画像データのサムネイル表示を行う。また、プリンタ部８はサーマルヘッド等で構成され、ユーザによって選択された画像データの印刷処理を行う。
【００１５】
図２は上記ＲＡＭ４のメモリ構成を説明する図であり、４Ａ〜４ＺＺの記憶エリアで構成されている。例えば、記憶エリア４Ａは可搬型記憶媒体からカードデータ読込部６によって読み込んだJPEG画像ファイルの格納バッファである。また、記憶エリア４Ｂも可搬型記憶媒体からカードデータ読込部６によって読み込んだサムネイル画像データを画像絵画変換して得た、絵画フォトサムネイル画像用の格納バッファである。
【００１６】
記憶エリア４Ｃは上記記憶エリア４Ａに格納したJPEG画像ファイルを、例えばＲＧＢの画像データに展開するバッファであり、また記憶エリア４Ｂに格納した絵画フォトサムネイル画像をＲＧＢの画像データに展開するバッファである。また、記憶エリア４Ｄは、上記記憶エリア４Ｃに展開した画像データを、例えば印刷用にリサイズする際使用する画像印刷バッファである。
【００１７】
記憶エリア４Ｅの絵画プリント作成メニュー情報は、絵画変換写真の作成メニュー情報である。また、記憶エリア４Ｆのデジタルカメラ写真Exif（Exchangeable Image File Format）情報検索メモリ（以下、写真Exif情報検索メモリで示す）は、上記カードデータ読込部６から読み込んだ画像データが高速連写画像や合成連写画像であるかを調査する等に使用するメモリである。
【００１８】
記憶エリア４Ｇの絵画効果メモリは、例えば画像データを絵画変換した絵画画像情報を記憶するメモリである。また、記憶エリア４Ｈの写真連写グループ情報メモリは、高速連写画像や合成連写画像の写真連写グループの情報を記憶するメモリである。
【００１９】
記憶エリア４Ｉの写真連写シリアル番号メモリは、高速連写画像や合成連写画像に含まれる写真画像のシリアル番号を記憶するメモリである。また、記憶エリア４Ｊの写真連写作成種別メモリは、高速連写画像や合成連写画像の作成種類情報を記憶するメモリである。
【００２０】
記憶エリア４Ｋのfps情報メモリは、合成連写画像または高速連写画像のfps(フレームレート)値を記憶するメモリである。また記憶エリア４Ｌの合成連写・高速連写JPEG写真選択リスト代表情報配列メモリは、合成連写及び高速連写JPG画像の中の代表画像を記憶するメモリである。
【００２１】
連写画像データには、撮影間隔の情報fps（frame per second）が含まれているので、通常のカメラで単発に撮影した画像データとは、容易に識別出来る。連写画像のfps値は、少なくとも１fps以上（通常は、数十fps以上の値）になるため、手動撮影の連続撮影間隔（例えば、数秒間隔に１枚しか撮影出来ない）とは、全く異なるため、連写画像もしくは合成連写画像のデータは、fps値を識別することにより判別が出来る。また、手動カメラによる単発撮影の画像データであれば、個々の画像データに含まれるタイムスタンプ情報を確認しても手動で単発撮影されたデータであることは容易に識別することは出来る。
【００２２】
記憶エリア４Ｍの合成連写・高速連写絵画変換ファイル名配列保存情報メモリは、上記グループ毎に絵画変換ファイル名を保存するメモリである。また、記憶エリア４Ｎの合成連写・高速連写グループ群連写枚数配列メモリは、上記グループの総画像枚数を記憶するメモリである。
【００２３】
記憶エリア４Ｏの写真選択リスト配列メモリは、後述する処理によって選択された画像のリスト配列を記憶するメモリである。また、記憶エリア４Ｐの写真リスト総数メモリは、合成連写画像や高速連写画像を含む写真総枚数を記憶するメモリである。
【００２４】
記憶エリア４Ｑのデータ日時ブロック配列メモリは、ファイル日付を取得し記憶するメモリであり、記憶エリア４Ｒのデータ撮影スピードモードブロック配列メモリは、ファイル内部に存在するExif情報に基づいて、通常撮影や高速連写等の撮影間隔を記憶するメモリである。
【００２５】
記憶エリア４Ｓの絵画画像モードブロック配列メモリは、画像の絵画画風を保存するメモリであり、記憶エリア４Ｔの高速画像開始終了メモリ配列は、高速連写など一連のグループ画像の開始と終了のメモリ配列を記憶するメモリである。
【００２６】
記憶エリア４Ｕのタッチ初速スピード設定メモリは、フリック操作（表示切替操作）に於ける初速値を記憶するメモリであり、記憶エリア４Ｖの更新切り替えタイミング時間設定メモリは、フリック操作に於ける画面更新間隔を記憶するメモリである。フリック操作とは、タッチパネル式の表示画面を所定方向に向けて指やタッチペンなどで接触しながら所定の距離を素早く動かした後そのまま離す操作のことである。
【００２７】
記憶エリア４Ｗのキーペンバッファメモリは、前述のキー・ペン入力部５への操作情報に対応したコードを保持するメモリであり、記憶エリア４Ｘの液晶表示バッファメモリは、表示形式に変換されたカラーデータを保持するメモリであり、記憶エリア４Ｙの印刷枚数メモリは、合成連写画像印刷で印刷する枚数を記憶するメモリである。
【００２８】
記憶エリア４Ｚの印刷品位メモリは、高速連写画像印刷や合成連写画像印刷で印刷品位を記憶するメモリであり、記憶エリア４ＺＺの印刷用紙タイプメモリは、高速連写画像印刷や合成連写画像印刷で印刷用紙情報を記憶するメモリである。
【００２９】
以上の構成において、以下に本例の処理動作を説明する。
図３に示すフローチャートは、可搬型記憶媒体に記憶された画像データをカードデータ読込部６によって読み込み、ユーザが印刷を所望する画像データの選択を行い、選択された画像データの印刷処理を行う、本例の基本処理動作を説明するフローチャートである。
【００３０】
先ず、カードデータ読込部６によって、可搬型記憶媒体から画像ファイルを読み込み、ファイル名順リストを作成する（ステップ（以下、Ｓで示す）１）。図４はこの処理を具体的に説明するフローチャートである。可搬型記憶媒体から読み出したJPEG画像ファイルは前述のＲＡＭ４の記憶エリア４Ａに記憶され、先ずこのJPEG画像ファイル名の取得処理を行う（Ｓ１−１）。図５（ａ）はＲＡＭ４の記憶エリア４Ａに記憶されたJPEG画像ファイルの概念図であり、例えば同図に示すようにＡ〜Ｃは合成連写の画像データを含むファイルであり、Ｄは高速連写の画像データを含むファイルであり、jpgやJPGで示すファイルは撮影日時等の所定の条件に従って纏められた画像データを含むファイルである。
【００３１】
次に、ファイル属性の読み込み処理を行う（Ｓ１−２）。前述の記憶エリア４Ｆの写真Exif情報検索メモリには、上記JPEG画像ファイルに含まれる全ての画像データのExif情報が記憶され、この情報を読み込む。
【００３２】
次に、上記Exif情報を読み込み中の（選択中の）画像データが連写モードであるか判断する（Ｓ１−３）。ここで、連写モードでなければ（Ｓ１−３がＮＯ）、画風メモリを絵画モードとして保存する（Ｓ１−５）。
【００３３】
一方、連写モードであれば（Ｓ１−３がＹＥＳ）、連写グループの撮影スピードを保存する（Ｓ１−４）。この連写モードは上記高速連写又は合成連写の何れかであり、高速連写及び合成連写のグループ画像の連写速度を保存する。その後、上記と同様、画風メモリを絵画モードとして保持する（Ｓ１−５）。
【００３４】
上記処理は記憶エリア４Ａに格納されたJPEG画像ファイルの全てについて行われ（Ｓ１−６がＮＯ、Ｓ１−１〜Ｓ１−６）、記憶エリア４Ａに格納されたＪＰＥＧ画像ファイルの全ての処理が完了すると（Ｓ１−６がＹＥＳ）、ファイル名順リストが完成する。
【００３５】
図５（ｂ）は作成されたファイル名順リストの一部を示すものである。この例の場合、CIMG0001.jpg〜CIMG0010.jpgまでの画像データは撮影速度が通常のJPEG画像ファイルであり、CIMG0011.jpg〜CIMG0016.jpgまでの画像データは撮影速度がspeed0の高速連写画像ファイル、例えば高速連写画像ファイルＤである。また、CIMG0017.jpg〜CIMG0021.jpgまでの画像データは撮影速度がspeed1の合成連写画像ファイル、例えば合成連写画像ファイルＡであり、 CIMG0022.jpg〜CIMG0027.jpgまでの画像データは撮影速度がspeed2の合成連写画像ファイル、例えば合成連写画像ファイルＢである。
【００３６】
尚、図５（ｂ）に示すファイル名順リストに記憶された絵画モードは上記処理（Ｓ１−５）によって登録された画風情報である。例えば、画風情報として絵画色鉛筆や、絵画色水彩、絵画色パステル等の情報が登録され、画風情報を含まない場合には絵画なしの情報が登録される。また、図５（ｂ）のファイル名順リストの撮影速度は上記処理（Ｓ１−４）によって登録された情報である。
【００３７】
次に、図３に示す基本処理のフローチャートに戻り、撮影モードと高速連写枚数をブロック一覧に設定し（Ｓ２）、カード一覧からユーザが印刷を所望する画像に対して印刷枚数と絵画編集設定を行ない、写真設定リスト配列メモリに代入する（Ｓ３）。
【００３８】
図６は上記処理を具体的に説明するフローチャートである。先ず、画像一覧表示画面作成処理を行う（ステップ（以下、ＳＴで示す）１）。この処理は、写真選択リスト配列メモリに格納されている写真ファイル名から画面表示できるサムネイル程度の大きさに画像一覧を作成する処理である。
【００３９】
また、上記処理において、合成連写や高速連写においては当該グループに多数の画像データを含む為、代表画像を選択する。図７は合成連写や高速連写の場合の代表画像を選択する処理を説明するフローチャートである。先ず、画像データのファイル名の取得処理を行い（ＳＴ１−１）、画像内部の調査処理を行う（ＳＴ１−２）。すなわち、前述の記憶エリア４Ｆの写真Exif検索メモリを参照し、当該ファイルが合成連写又は高速連写であるか判断する。ここで、合成連写又は高速連写である場合（ＳＴ１−３がＹＥＳ）、合成連写又は高速連写のグループに合致した代表メモリに当該代表画像を保存する（ＳＴ１−４）。例えば、合成連写の先頭画像を代表画像に設定し、また高速連写の先頭画像を代表画像に設定し、保存する。
【００４０】
尚、合成連写又は高速連写でない場合（ＳＴ１−３がＮＯ）、代表画像を選択する必要がないので次のファイル名を取得し、上記と同様の処理を行う。
したがって、上記処理を繰り返すことによって、合成連写や高速連写に含まれる画像グループの場合、グループの代表画像が１枚選択され、後述する画像一覧表示画面に代表画像が表示される。
【００４１】
図８は上記処理によって作成された画像一覧表示画面の表示例である。この表示は前述のカラー表示部７に表示され、１２枚（縦３列×横４列）の画像データが表示される。この画像データには、合成連写や高速連写の場合、当該画像グループの代表画像のみが表示される。
【００４２】
次に、上記表示状態において、スクロール操作を行い（ＳＴ２）、フリック次画面先頭検索処理を行う（ＳＴ３）。例えば、図８に示す画像一覧表示画面において矢印で示す方向にフリックを行い、次の１２枚の画像一覧表示画面を表示する。そして、ユーザは画像一覧表示画面を確認し、印刷を行う画像の選択を行なう（ＳＴ４）。上記処理を繰り返すことによって、JPEG画像ファイルから印刷を希望する画像の選択処理を行い、また同時に印刷枚数の指定も行う。以下に、具体的な処理方法について説明する。
【００４３】
図９（ａ）は、前述の記憶エリア４ＡのJPEG画像ファイルから読み出した、例えば２５２枚の画像データの一覧であり、グループ属性の一覧である。このグループ属性は高速連写及び合成連写と通常撮影の場合の撮影間隔の差に注目して採用する属性である。すなわち、前述のように高速連写及び合成連写の撮影間隔は、通常のカメラで単発に撮影した場合に比べて極めて高速であり、前述のfps値によって判断できる。したがって、本例において、フリック操作によるサムネイル画像をスクロールする際、上記撮影間隔の相違を利用して、高速連写や合成連写に基づく画像データと通常カメラで撮影した画像データを区別するべく、上記グループ属性を定義する。尚、このグループ属性は、高速連写と合成連写とで、付与される属性が異なると共に、日時が異なる撮影操作毎に区別出来るよう撮影操作毎に異なる属性を付与することもできる。
【００４４】
具体的には、例えば図９（ａ）に示すように、グループ属性として、高速連写によって撮影した画像にフラグ“０”を設定し、合成連写によって撮影した画像にフラグ“２”を設定する。一方、上記以外の通常撮影の画像に、例えばフラグ“１”を設定し、上記グループ属性と異なるフラグの設定を行う。
尚、この一覧表示は前述の図８に示す画像一覧表示画面に対応しており、ａ、ｂ、・・・は、それぞれ１２枚の画像データのグループ属性を示し、最後の１２枚の画像データのグループ属性を示すｕまで、合計２５２枚の画像データの情報である。
【００４５】
例えば、図９（ａ）に示す１２枚の画像データａの場合、最初の６枚の画像データにフラグ“０”の高速連写に基づくグループ属性が設定され、残りの６枚がフラグ“１”の連写に基づくグループ属性に属さないフラグ設定が行われている。また、次のｂの場合、１２枚全ての画像データがフラグ“１”であり、連写に基づくグループ属性に属さないフラグ設定である。さらに、次のｃの場合、最初の４枚がフラグ“１”の連写に基づくグループ属性に属さないフラグ設定であり、次の２枚の画像データがフラグ“０”の高速連写に基づくグループ属性の設定が行われ、残りの６枚がフラグ“２”の合成連写に基づくグループ属性の設定が行われている。以下、同図（ａ）に示す通りである。
【００４６】
一方、図９（ｂ）は上記と同じ記憶エリア４ＡのJPEG画像ファイルから読み出した、２５２枚の画像データの撮影日時間隔を対象とする一覧表である。本例において、この撮影日時間隔に基づき、この一覧表の各画像に設定されるフラグを撮影日時間隔属性とする。この撮影日時間隔属性は、図１０（ａ）に示す規則に従って設定されている。例えば、フラグ“０”は前後の撮影の日時間隔が１分以内の場合であり、フラグ“１”は前後の撮影の日時間隔が１時間以内の場合であり、フラグ“２”は前後の撮影の日時間隔が４時間以内の場合であり、フラグ“４”は前後の撮影の日時間隔が１日以内の場合であり、フラグ“５”は前後の撮影の日時間隔が３日以内の場合であり、以下図１０（ａ）に示す通りである。尚、上記撮影日時間隔属性の中で、特に前後の撮影の日時間隔が１日以内である場合（フラグ“２”の場合）、日付跨ぎと呼び、前後の撮影の日時間隔が１年以内である場合（フラグ“１６”の場合）、年跨ぎと呼ぶ。
【００４７】
この一覧表示も前述の画像一覧表示画面に対応しており、図９（ｂ）に示すａ、ｂ、・・・は、それぞれ１２枚の画像データの撮影日時間隔属性を示し、最後の１２枚の撮影日時間隔属性を示すｕまで、合計２５２枚の画像データの情報である。
【００４８】
例えば、ａの場合、最初の６枚の画像データがフラグ“０”であり、撮影日時間隔が１分以内であり、残りの６枚がフラグ“１”であり撮影日時間隔が１時間以内である。また、次のｂの場合、１２枚全ての画像データがフラグ“１”であり、１時間以内の撮影日時間隔であることが分かる。さらに、次のｃの場合、最初の４枚がフラグ“１”の１時間以内の撮影日時間隔であり、次の８枚の画像データがフラグ“０”の１分以内の撮影日時間隔である。以下、同図に示す通りであり、例えばｐの場合、最初の１枚がフラグ“４”であり、撮影日時間隔が１日以内（日付跨ぎ）であり、２枚目のフラグは“１”であり、撮影日時間隔が１時間あり、更に３枚目のフラグは“２”であり、撮影日時間隔が４時間あり、以下同図に示す通りである。
【００４９】
図１１は上記図９（ａ）に示すグループ属性と、同図（ｂ）に示す撮影日時間隔属性を組み合わせたフラグ情報の一覧である。尚、この設定は同一撮影操作により記録された連写画像データのグループ属性の場合を、図１０（ｂ）に示すようにフラグ“３２”に設定するものである。
【００５０】
この表示状態において、例えばユーザはフリック操作を行い、印刷を所望する画像を検索する。図１２はこの処理を説明するフローチャートである。
ユーザがフリック操作を行うと、先ずフリック操作のスクロール方向とページカウンタの取得処理を行う（ステップ（以下、ＳＴＰで示す）１）。このスクロール方向は、例えば前述の図８に示す右方向であり、ページカウンタは例えば現表示の画像一覧表示画面の先頭の画像データを指示する、例えば“１”である。
【００５１】
次に、現在ページの開始状態でページカウンタを加算し、管理情報の連続状態分を＋αし、次のページの一覧表示画面（以下、ページブロックで示す）を設定する（ＳＴＰ２）。本例では上記αは１２に設定され、１回のフリック毎に１２画像毎に右方向にスクロールされ、例えば画面ａ→画面ｂ→画面ｃ→・・・の順に画像一覧表示画面がスクロールされる。この間、開始頁が高速連写途中であるか判断し（ＳＴＰ３）、また開始頁の前に日付跨ぎがあるか判断し（ＳＴＰ４）、更に開始頁の前に年跨ぎがあるか判断する（ＳＴＰ５）。
【００５２】
例えば、図１１に示す例では、画面ｅ〜оの開始頁は同一撮影操作により連写記録された高速連写の途中の画像データである。このことは、上記開始頁のフラグ情報が“３２”であることから判断される（ＳＴＰ３がＹＥＳ）。したがって、この場合現在頁を高速連写終了後の次頁のブロックに設定する（ＳＴＰ６）。例えば、図１１に示す例では、次の開始頁を画面ｐとする。
【００５３】
このように処理することにより、１回のフリック操作において、高速連写や合成連写による短時間に繰り返し撮影された変化の少ない同様な写真画像を表示させることなくスクロール（表示ページの切替）することができ、少ないフリック操作回数で所望画像への切替え表示を行うことができる。
したがって、ユーザは少ないフリック操作により迅速に印刷を希望する画像を表示し、当該画像に対する印刷指定を行うことができる。
【００５４】
また、図１１の画面ｒに示すように、日付跨ぎを示すフラグ“４”が設定された画像データがある場合、例えばフリック操作によって画面ｓが表示されようとする時、この画面ｓの開始頁の前に日付跨ぎの画像データが存在する為（ＳＴＰ４がＹＥＳ）、現在頁を日付跨ぎのフラグ開始まで遡り次頁のブロックを設定する（ＳＴＰ７）。すなわち、この場合次のブロックとして、上記日付跨ぎのフラグが設定された画像を先頭画像とする一覧表示画面を表示する。
【００５５】
また、図１１の画面ｔに示すように、年跨ぎを示すフラグ“１６”が設定された画像データがある場合、例えばフリック操作によって次の画面ｕを表示しようとする時、この画面ｕの開始頁の前に年跨ぎの画像が存在する為（ＳＴＰ５がＹＥＳ）、現在頁を年跨ぎのフラグ開始まで遡り次頁のブロックを設定する（ＳＴＰ８）。すなわち、この場合次のブロックとして、上記年跨ぎのフラグが設定された画像を先頭画像とする一覧表示画面を表示する。
【００５６】
尚、高速連写や合成連写のグループ内の画像データを選択する場合には、上記フリック操作によって対応する代表画像を表示し、更に当該代表画像を指示することによって対応する高速連写画像や合成連写画像を表示し、所望の画像の印刷指定を行うことができる。
【００５７】
また、上記処理によって選択した画像の印刷枚数と絵画編集設定も行う。ここで、選択した画像が高速連写画像や合成連写画像であり、当該グループに含まれる画像データに対して同じ絵画変換を行う場合には以下の設定を行う。
【００５８】
図１３はこの処理を説明するフローチャートであり、先ず、グループ画像一覧表示開始位置の選択を行う（ステップ（以下、Ｗで示す）１）。この処理は、先ず取消キーの入力を判断し（Ｗ２）、ここで取消キーの入力があれば（Ｗ２がＹＥＳ）、以後当該グループ画像において絵画変換処理を行うことなく、次のグループの処理に移行する。一方、取消キーの入力が行われることなく（Ｗ２がＮＯ）、実行キーの入力があると（Ｗ３がＹＥＳ）、絵画変換処理を開始する画像位置が決定する（Ｗ４）。尚、実行キーの入力も無い場合（Ｗ３がＮＯ）、上記と同様、次のグループの処理に移行する。
【００５９】
次に、グループ画像一覧表示終了位置の選択を行う（Ｗ５）。この処理も、先ず取消キーの入力を判断し（Ｗ６）、ここで取消キーの入力があれば（Ｗ６がＹＥＳ）、次のグループの処理に移行する。この場合、絵画変換の指定は、例えば開始した１枚の画像データのみの選択となる。
【００６０】
一方、取消キーの入力が行われることなく（Ｗ６がＮＯ）、実行キーの入力があると（Ｗ７がＹＥＳ）、絵画変換処理の終了位置が決定する（Ｗ８）。以上の処理によって高速連写や合成連写の場合の絵画編集設定が終了する。
【００６１】
次に、図３に示す基本処理のフローチャートに戻り、選択した画像の伸長処理を行い（Ｓ４）、絵画画風変換の判断を行う（Ｓ５）。ここで、選択された画像が前述の図５に示す絵画モードに設定されている場合（Ｓ５がＹＥＳ）、設定された画風の絵画変換を行う（Ｓ６）。例えば、CIMG0004.jpgの画像データが選択された場合、絵画モードとして色鉛筆の画風設定が行われており、対応する画風の絵画変換処理が行われる。また、CIMG0005.jpgの画像データが選択された場合、絵画モードとして水彩の画風設定が行われており、対応する画風の絵画変換処理が行われる。尚、高速連写や合成連写において前述の絵画変換の設定が行われている場合、設定された開始位置から終了位置の画像データに対して絵画変換処理が行われる。
【００６２】
上記絵画変換処理が終了すると、印刷処理を行う（Ｓ７）。例えば、選択された画像データに対して色鉛筆や水彩等の画風に変換された画像データがプリンタ部８によって用紙等の記録媒体に印刷出力される。尚、絵画画風変換の設定が無い画像データについては（Ｓ５がＮＯ）、例えば写真画像のまま印刷出力される。
【００６３】
尚、上記本実施形態の説明ではカラー表示部７に表示する画像を図８に示すように１２画像としたが、この数に限定される訳ではなく、他の画像数であってもよく、例えば１枚ずつ表示するように構成してもよい。
【００６４】
また、上記実施形態の説明では、撮影日時間隔属性に基づく処理において、日付跨ぎ又は年跨ぎの場合において、当該日付跨ぎ又は年跨ぎのフラグが設定された画像まで遡る構成としたが、日付跨ぎ又は年跨ぎの場合に限らず、撮影日時間隔属性として前後の撮影の日時間隔が１２時間以内の場合、例えば半日跨ぎとして当該フラグが設定された画像まで遡る構成としてもよい。また、例えば撮影日時間隔属性として前後の撮影の日時間隔が７日以内の場合、例えば週跨ぎとして当該フラグが設定された画像まで遡る構成としてもよく、その他任意の撮影日時間隔において設定可能である。
【００６５】
本発明はいくつかの実施形態を説明したが、本発明は特許請求の範囲に記載された発明とその均等の範囲に含まれる。以下、本件特許出願の出願当初の特許請求の範囲に記載された発明を付記する。
【００６６】
付記１
連続撮影された連写画像及び合成連写画像の少なくともいずれかを含む複数の画像データを記憶する記憶部と、
前記記憶部に記憶された複数の画像データの画像を所定数同時に表示する表示部と、
前記連写画像及び合成連写画像の画像データに同じ撮影操作により撮影された連写画像であることを示すグループ属性を設定する設定部と、
前記表示部に表示される前記所定数の画像の表示をスクロールさせて他の前記所定数の画像の表示に切り替える表示切替操作部と、
前記表示切替操作に応じて前記表示部に表示されようとする前記所定数の画像データに、前記表示切替操作が行われる前に前記表示部に表示されていた画像のいずれかに設定された前記グループ属性と同じグループ属性が設定されている場合、前記同じグループ属性が設定されている画像を表示させることなくスクロールし、前記グループ属性が設定されていない前記所定数の画像を前記表示部に表示する表示制御部と、
を有することを特徴とする画像表示制御装置。
【００６７】
付記２
前記記憶部には前記連写画像及び合成連写画像に含まれない画像の画像データも記憶され、該画像データには前に撮影した画像との撮影日時間隔に基づく撮影日時間隔属性が設定され、前記表示切替操作によって前記表示部に表示されようとする前記所定数の画像の画像データの前に前記撮影日時間隔属性が設定された画像データがある場合、前記撮影日時間隔属性が設定された画像まで遡り、該撮影日時間隔属性が設定された画像を表示開始画像として前記所定数の画像を前記表示部に表示することを特徴とする付記１に記載の画像表示制御装置。
【００６８】
付記３
前記撮影日時間隔属性は日付跨ぎであり、前記表示切替操作によって前記表示部に表示される前記所定数の画像の画像データの前に前記日付跨ぎの撮影日時間隔属性が設定された画像データがある場合、前記日付跨ぎの撮影日時間隔属性が設定された画像まで遡り、該撮影日時間隔属性が設定された画像を表示開始画像として前記所定数の画像を前記表示部に表示することを特徴とする付記２に記載の画像表示制御装置。
【００６９】
付記４
前記撮影日時間隔属性は年跨ぎであり、前記表示切替操作によって前記表示部に表示される前記所定数の画像の画像データの前に前記年跨ぎの撮影日時間隔属性が設定された画像データがある場合、前記年跨ぎの撮影日時間隔属性が設定された画像まで遡り、該撮影日時間隔属性が設定された画像を表示開始画像として前記所定数の画像を前記表示部に表示することを特徴とする付記２に記載の画像表示制御装置。
【００７０】
付記５
前記表示切替操作後に前記表示部に表示される複数の画像の中から印刷を行う画像を選択することを特徴とする付記１、２、３、又は４に記載の画像表示制御装置。
【００７１】
付記６
連続撮影された連写画像及び合成連写画像の少なくともいずれかを含む複数の画像データを記憶部に記憶する処理と、
前記記憶部に記憶された複数の画像データの画像を表示部に所定数同時に表示する処理と、
前記連写画像及び合成連写画像の画像データに同じ撮影操作により撮影された連写画像であることを示すグループ属性を設定する処理と、
前記表示部に表示される前記所定数の画像の表示をスクロールさせて他の前記所定数の画像の表示に切り替える表示切替操作処理と、
前記表示切替操作に応じて前記表示部に表示されようとする前記所定数の画像データに、前記表示切替操作が行われる前に前記表示部に表示されていた画像のいずれかに設定された前記グループ属性と同じグループ属性が設定されている場合、前記同じグループ属性が接地されている画像を表示させることなくスクロールし、前記グループ属性が設定されていない前記所定数の画像を前記表示部に表示する処理と、
を行うことを特徴とする画像表示制御方法。
【００７２】
付記７
前記表示切替操作は、前記表示部のタッチパネル表示画面を短時間接触するフリック操作であることを特徴とする付記１乃至５記載の画像表示制御装置。
【符号の説明】
【００７３】
１・・・画像表示制御装置
２・・・ＣＰＵ
３・・・ＲＯＭ
４・・・ＲＡＭ
５・・・キー・ペン入力部
６・・・カードデータ読込部
７・・・カラー表示部
８・・・プリンタ部
【図１】
2014021291.tif 000003
【図２】
2014021291.tif 000004
【図３】
2014021291.tif 000005
【図４】
2014021291.tif 000006
【図６】
2014021291.tif 000007
【図７】
2014021291.tif 000008
【図１０】
2014021291.tif 000009
【図１２】
2014021291.tif 000010
【図１３】
2014021291.tif 000011
【図５】
2014021291.tif 000012
【図８】
2014021291.tif 000013
【図９】
2014021291.tif 000014
【図１１】
2014021291.tif 000015